(57)【要約】      （修正有）【課題】電池残量が少なくなっている場合には薄い濃度で印刷することで業務が停止してしまう事態を低減させ、かつ、通常通りの濃度で印刷すべき部分については通常通りの濃度で印刷可能にすることで、業務に支障のない帳票を印刷することを可能とする仕組みを提供する。【解決手段】複数の領域から構成される帳票を印刷する機能を備える携帯端末であって、前記携帯端末が備える電池の残量を検知し、前記帳票を構成する領域毎に、印刷制御内容を受け付け、前記検知した電池残量が予め定めた値を下回る場合には、受け付けた印刷制御内容に従い、前記帳票の印刷を行う。【選択図】図１
2015099409.tif 000002
【特許請求の範囲】
【請求項１】
複数の領域から構成される帳票を印刷する機能を備える携帯端末であって、
前記携帯端末が備える電池の残量を検知する検知手段と、
前記帳票を構成する領域毎に、印刷制御内容を受け付ける受付手段と、
前記検知手段により検知した電池残量が予め定めた値を下回る場合には、前記受付手段により受け付けた印刷制御内容に従い、前記帳票の印刷を行う印刷制御手段と、
を備えることを特徴とする携帯端末。
【請求項２】
前記領域は、複数の項目から構成されていることを特徴とし、
前記受付手段はさらに、前記各項目について、印刷制御内容を受け付けることを特徴とする請求項１に記載の携帯端末。
【請求項３】
前記受付手段により受け付ける印刷制御内容は、通常よりも薄い濃度で印刷する旨の設定であることを特徴とする請求項１または２に記載の携帯端末。
【請求項４】
前記複数の項目のうち、通常の濃度で印刷する旨の設定を受け付ける通常印刷設定受付手段をさらにそなえ、
前記通常印刷設定受付手段で通常の濃度で印刷する旨の設定を受け付けた項目については、前記受付手段による薄い濃度で印刷する旨の設定を受け付けないことを特徴とする請求項３に記載の携帯端末。
【請求項５】
複数の領域から構成される帳票を印刷する機能を備える携帯端末における情報処理方法であって、
前記携帯端末の検知手段が、前記携帯端末が備える電池の残量を検知する検知工程と、
前記携帯端末の受付手段が、前記帳票を構成する領域毎に、印刷制御内容を受け付ける受付工程と、
前記携帯端末の印刷制御手段が、前記検知工程により検知した電池残量が予め定めた値を下回る場合には、前記受付工程により受け付けた印刷制御内容に従い、前記帳票の印刷を行う印刷制御工程と、
を備えることを特徴とする情報処理方法。
【請求項６】
複数の領域から構成される帳票を印刷する機能を備える携帯端末において実行可能なプログラムであって、
前記携帯端末を、
前記携帯端末が備える電池の残量を検知する検知手段と、
前記帳票を構成する領域毎に、印刷制御内容を受け付ける受付手段と、
前記検知手段により検知した電池残量が予め定めた値を下回る場合には、前記受付手段により受け付けた印刷制御内容に従い、前記帳票の印刷を行う印刷制御手段として機能させることを特徴とするプログラム。
【発明の詳細な説明】
【技術分野】
【０００１】
本発明は、携帯端末における印刷内容の制御技術に関する。
【背景技術】
【０００２】
ハンディターミナルなど印刷機能を備えた携帯端末においては、感熱紙に印刷をするものが多く、印刷する際にはプリンタヘッダ（サーマルヘッド）が熱を発し、その熱によって印刷を行っている。
【０００３】
また、携帯端末には充電池が装着され、充電池による電力を用いて印刷も行っている。
【０００４】
しかしながら、充電池の電力量には限度があり、業務での使用にしたがい残量も減少していく。印刷のように熱を発する動作においては電力消費量も多く、電池残量が減少している状態で印刷を行うと、印刷途中で電力不足により動作が止まってしまうこともある。
【０００５】
そこで、特許文献１には、サーマルヘッドに電力を供給する電池の残量が少なくなった場合に突然に印刷ができなくなる事態を回避することができる仕組みが開示されている。
【先行技術文献】
【特許文献】
【０００６】
【特許文献１】特開２０１１−１９８１３４号公報
【発明の開示】
【発明が解決しようとする課題】
【０００７】
特許文献１に記載の技術は、印刷する帳票全体を通常よりも薄い濃度で印刷するものである。
【０００８】
しかしながらこのような仕組みでは、例えばバーコードや２次元コードのように、薄い濃度で印刷してしまうとリーダで読み取れなくなるといった不都合が生じる部分もある。このような部分については、電池残量が少なくなっている場合であっても、通常の濃度で印刷する必要がある。
【０００９】
そこで、本発明は、上述の課題を解決するために、電池残量が少なくなっている場合には薄い濃度で印刷することで業務が停止してしまう事態を低減させ、かつ、通常通りの濃度で印刷すべき部分については通常通りの濃度で印刷可能にすることで、業務に支障のない帳票を印刷することを可能とする仕組みを提供することを目的とする。
【課題を解決するための手段】
【００１０】
本発明は、複数の領域から構成される帳票を印刷する機能を備える携帯端末であって、前記携帯端末が備える電池の残量を検知する検知手段と、前記帳票を構成する領域毎に、印刷制御内容を受け付ける受付手段と、前記検知手段により検知した電池残量が予め定めた値を下回る場合には、前記受付手段により受け付けた印刷制御内容に従い、前記帳票の印刷を行う印刷制御手段と、を備えることを特徴とする。
【００１１】
また、本発明は、複数の領域から構成される帳票を印刷する機能を備える携帯端末における情報処理方法であって、前記携帯端末の検知手段が、前記携帯端末が備える電池の残量を検知する検知工程と、前記携帯端末の受付手段が、前記帳票を構成する領域毎に、印刷制御内容を受け付ける受付工程と、前記携帯端末の印刷制御手段が、前記検知工程により検知した電池残量が予め定めた値を下回る場合には、前記受付工程により受け付けた印刷制御内容に従い、前記帳票の印刷を行う印刷制御工程と、を備えることを特徴とする。
【００１２】
また、本発明は、複数の領域から構成される帳票を印刷する機能を備える携帯端末において実行可能なプログラムであって、前記携帯端末を、前記携帯端末が備える電池の残量を検知する検知手段と、前記帳票を構成する領域毎に、印刷制御内容を受け付ける受付手段と、前記検知手段により検知した電池残量が予め定めた値を下回る場合には、前記受付手段により受け付けた印刷制御内容に従い、前記帳票の印刷を行う印刷制御手段として機能させることを特徴とする。
【発明の効果】
【００１３】
本発明によれば、電池残量が少なくなっている場合には薄い濃度で印刷することで業務が停止してしまう事態を低減させ、かつ、通常通りの濃度で印刷すべき部分については通常通りの濃度で印刷可能にすることで、業務に支障のない帳票を印刷することが可能となる。
【図面の簡単な説明】
【００１４】
【図１】携帯端末端末１０１の機能を示す機能ブロック図
【図２】携帯端末１０１のハードウエア構成を示す図
【図３】携帯端末１０１が実行する印刷モード設定処理を示すフローチャートである
【図４】情報端末１０１が実行する調整モードにおける制御内容の設定処理を示すフローチャート
【図５】調整モードにおける印刷制御内容の設定を受け付ける設定画面の一例を示す図
【図６】印刷モード選択画面の一例を示す図
【図７】項目毎に印刷濃度設定を受け付ける画面の一例を示す図
【図８】領域毎に印刷濃度設定を受け付ける画面の一例を示す図
【図９】調整モードにおいて選択される制御内容が登録された図
【図１０】領域毎の設定内容が登録されたデータテーブルの一例を示す図
【図１１】項目毎の設定内容が登録されたデータテーブルの一例を示す図
【図１２】通常モードにより印刷された領収書の一例を示す図
【図１３】調整モードにより印刷された領収書の一例を示す図
【図１４】帳票を構成する領域・項目が登録されたデータテーブルの一例を示す図
【発明を実施するための形態】
【００１５】
図１を用いて、本実施形態における携帯端末の機能を説明する。
【００１６】
図１は本発明の実施形態における携帯端末１０１が備える機能を示した図である。本実施形態における携帯端末１０１は、複数の領域から構成される帳票を印刷する機能を備える携帯端末であり、検知部１５１、受付部１５２、印刷制御部１５３を備える。
【００１７】
検知部１５１は、携帯端末が備える電池の残量を検知する機能を備える。
【００１８】
受付部１５２は、帳票を構成する領域毎に、印刷制御内容を受け付ける機能を備える。
【００１９】
印刷制御部１５３は、検知部１５１により検知した電池残量が予め定めた値を下回る場合には、受付部１５２により受け付けた印刷制御内容に従い、前記帳票の印刷を行う機能を備える。
【００２０】
以下、図２を用いて、図１に示した携帯端末１０１のハードウエア構成の一例について説明する。
【００２１】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２２】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２３】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２４】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２７】
ハードウエア上で動作する各種プログラムは、外部メモリ２１１に記録されており、必要に応じてＲＡＭ２０２にロードされることによりＣＰＵ２０１によって実行されるものである。
【００２８】
プリンタコントローラ２１２は、サーマルドットライン方式プリンタ２１３等の印刷機を制御する。
【００２９】
スキャナコントローラ２１４は、スキャナ２１５等の識別器を制御する。
【００３０】
なお、全ての装置がこれらの構成を備えているわけではなく、必要なものを夫々備えていればよい。
【００３１】
次に、図３を用いて、本実施形態における印刷モード設定処理について説明する。
【００３２】
なお、図３のフローチャートに示す処理は、携帯端末１０１のＣＰＵ２０１が所定の制御プログラムを読み出して実行する処理である。
【００３３】
ステップＳ３０１では、携帯端末１０１のＣＰＵ２０１は、携帯端末１０１が搭載している電池の残量を確認する。なお、本フローチャートで示す処理は、ユーザにより印刷指示（帳票を印刷する旨の指示等）がなされた場合に実行される処理である。
【００３４】
ステップＳ３０２では、携帯端末１０１のＣＰＵ２０１は、ステップＳ３０１で確認した電池残量と、予め定められた閾値とを比較し、印刷濃度を調整すべきであるかを判断する。
【００３５】
印刷調整すべきであると判断した場合（ステップＳ３０２：ＹＥＳ）は、処理をステップＳ３０３に移行する。
【００３６】
印刷調整する必要がないと判断された場合（ステップＳ３０２：ＮＯ）は、処理をステップＳ３０６に移行する。
【００３７】
ステップＳ３０３では、携帯端末１０１のＣＰＵ２０１は、表示部に印刷モードの選択を受け付ける画面（一例として図６）を表示する。
【００３８】
ステップＳ３０４では、携帯端末１０１のＣＰＵ２０１は、ユーザから印刷モードの選択を受け付け、受け付けた内容を判断する。
【００３９】
ユーザから調整モードの選択を受け付けた場合（ステップＳ３０４：ＹＥＳ）は、処理をステップＳ３０５に移行する。
【００４０】
ユーザから通常モードの選択を受け付けた場合（ステップＳ３０４：ＮＯ）は、処理をステップＳ３０６に移行する。
【００４１】
ここで図６に示す印刷モード選択受付画面について説明する。
【００４２】
図６に示す印刷モード選択受付画面は、ステップＳ３０２で電池残量が低下しているため印刷調整が必要であると判断された場合に表示部に表示される画面である。
【００４３】
図６に示すように、電池残量が低下している旨、印刷モードの選択を促すメッセージが表示される。また、通常モード選択ボタン６０１、調整モード選択ボタン６０２が表示される。通常モード選択ボタンがユーザにより押下されると、通常通りに印刷を行うモードが設定される。調整モード選択ボタン６０２がユーザにより押下されると、印刷内容が調整された帳票が印刷される。
調整モードにおける印刷内容については後述する。
【００４４】
ステップＳ３０５では、携帯端末１０１のＣＰＵ２０１は、印刷指示がなされたデータを、調整モードにより印刷する。調整モードにおける印刷の制御内容については、図４のフローチャートを用いて説明する。
【００４５】
ステップＳ３０６では、携帯端末１０１のＣＰＵ２０１は、印刷指示がなされたデータを、通常モードにより印刷する。通常モードによる印刷とは、特に印刷内容を制御せず、データの通りに印刷することをいう。
【００４６】
次に図４を用いて、調整モードにおける制御内容の設定処理について説明する。
【００４７】
なお、図４のフローチャートに示す処理は、携帯端末１０１のＣＰＵ２０１が所定の制御プログラムを読み出して実行する処理である。
【００４８】
ステップＳ４０１では、携帯端末１０１のＣＰＵ２０１は、調整モードにおける印刷制御内容の設定を受け付ける設定画面（一例として図５）を表示部に表示する。
【００４９】
ステップＳ４０２では、携帯端末１０１のＣＰＵ２０１は、ステップＳ４０１で表示された設定画面を介して、ユーザから項目毎に設定を行うか、領域毎に設定を行うかの選択を受け付ける。そして選択された内容を判断する。
【００５０】
ここで図５に示す設定画面について説明する。図５に示すように、調整モードにおける印刷制御内容の設定を受け付ける設定画面では、領域毎に印刷制御内容の設定を行うか、それとも項目毎に印刷制御内容の設定を行うかいずれかの選択をラジオボタンにより受け付ける（５０３）。
【００５１】
また、設定ボタン５０１が押下されると、図７、図８に示す設定画面に遷移する（ステップＳ４０３、Ｓ４０６）。
【００５２】
ユーザから項目毎に設定を行うとの選択を受け付けた場合（ステップＳ４０２：ＹＥＳ）は、処理をステップＳ４０３に移行する。
【００５３】
ユーザから領域毎に設定を行うとの選択を受け付けた場合（ステップＳ４０２：ＮＯ）は、処理をステップＳ４０６に移行する。
【００５４】
ステップＳ４０３では、携帯端末１０１のＣＰＵ２０１は、項目毎の濃度設定画面（一例として図７）を表示部に表示する。
【００５５】
ステップＳ４０４では、携帯端末１０１のＣＰＵ２０１は、ユーザから濃度設定画面（図７）を介して印刷制御内容の設定を受け付ける。
【００５６】
ステップＳ４０５では、携帯端末１０１のＣＰＵ２０１は、ステップＳ４０４で受け付けた制御内容を登録する。具体的には、図１１に示す各データテーブルに設定内容を登録する。
【００５７】
ここで登録された内容に基づき、ステップＳ３０５における印刷処理が実行される。
そして本フローチャートの処理を終了する。
【００５８】
次に領域毎に設定を行う旨の指示を受け付けた場合（ステップＳ４０２：ＮＯ）について説明する。
【００５９】
ステップＳ４０６では、携帯端末１０１のＣＰＵ２０１は、領域毎の濃度設定画面（一例として図８）を表示部に表示する。
【００６０】
ステップＳ４０７では、携帯端末１０１のＣＰＵ２０１は、ユーザから濃度設定画面（図８）を介して印刷制御内容の設定を受け付ける。
【００６１】
ステップＳ４０８では、携帯端末１０１のＣＰＵ２０１は、ステップＳ４０７で受け付けた制御内容を登録する。具体的には、図１０に示す各データテーブルに設定内容を登録する。
【００６２】
ここで登録された内容に基づき、ステップＳ３０５における印刷処理が実行される。
そして本フローチャートの処理を終了する。
【００６３】
ここで図７に示す領域毎に印刷濃度を設定する画面について説明する。
【００６４】
図７に示すように、領域毎に印刷濃度を設定する画面には、プルダウンによる帳票の選択項目（７０１）、印刷モードの選択項目（７０２）、領域毎の濃度設定項目（７０３）、登録ボタン（７０４）等が表示される。
【００６５】
帳票選択項目７０１においては、ユーザから印刷濃度の設定を行う帳票の選択を受け付ける。図７に示す例では、領収書が選択されている。
【００６６】
モード選択項目７０２では、ユーザから選択された帳票を調整モードで印刷するか、通常モードで印刷するかの選択を受け付ける。
【００６７】
調整モードによる印刷が選択された場合は、領域毎の濃度設定項目７０３において各領域に対する濃度の設定を受け付ける。
【００６８】
図７の例では、領域Ａは濃度１、領域Ｂは通常、領域Ｃは印刷しない旨の設定がなされている。
【００６９】
そして、登録ボタン７０４が押下されると、設定された内容が登録される（図１０）。
【００７０】
次に図８に示す項目毎に印刷濃度を設定する画面について説明する。
【００７１】
図８に示すように、項目毎に印刷濃度を設定する画面には、プルダウンによる帳票の選択項目（８０１）、印刷モードの選択項目（８０２）、項目毎の濃度設定項目（８０３）、登録ボタン（８０４）等が表示される。
【００７２】
帳票選択項目８０１においては、ユーザから印刷濃度の設定を行う帳票の選択を受け付ける。図８に示す例では、領収書が選択されている。
【００７３】
モード選択項目８０２では、ユーザから選択された帳票を調整モードで印刷するか、通常モードで印刷するかの選択を受け付ける。
【００７４】
調整モードによる印刷が選択された場合は、項目毎の濃度設定項目８０３において各項目に対する濃度の設定を受け付ける。
【００７５】
図８の例では、領域Ａのうちタイトルは濃度１、ロゴは通常、発行日は濃度２、単価は印刷しない等の設定がなされている。
【００７６】
そして、登録ボタン８０４が押下されると、設定された内容が登録される（図１１）。
【００７７】
なお、領域とは、帳票における複数の項目を含む一定の範囲を指すものであり、領域毎に印刷濃度の設定を受け付ける場合には、当該領域に含まれるすべての項目の濃度が一律で設定される。
【００７８】
これに対して項目毎に印刷濃度の設定を受け付けた場合は、各項目ひとつひとつに対して個別に印刷濃度の設定を行う。
【００７９】
次に、図９について説明する。図９（Ａ）は、印刷する際のエネルギーを抑えることで、電力消費を抑える場合の制御内容が登録されたテーブルである。
【００８０】
例えばエネルギーが１００％の場合には、通常通りの印刷がなされる。これに対してエネルギーが８０％や６０％の場合には、その分だけ印刷する際に使われる熱を抑えて印刷することを意味する。そのため、電力消費量は抑えることができる反面、文字や図形等は薄い色で印刷される。
【００８１】
図９（Ｂ）は、印刷する際に、印刷ドット密度を低下させることで電力消費を抑える場合に使われる制御内容である。
【００８２】
例えば、「濃度１については通常のドット密度の８０％の密度で印刷する」といった設定を予めしておく。図７や図８の画面において濃度１が設定された場合には、当該領域・項目は、濃度１に対応する印刷ドット密度（この場合は通常の８０％の密度）により印刷される。
【００８３】
本実施形態においては図９（Ｂ）の例を用いた画面・データテーブルにより説明しているが、図９（Ａ）のやり方であってもいずれでも良い。
【００８４】
図１２は、通常モードにおいて印刷がなされた領収書の一例を示す図である。全ての領域・項目が通常通りの濃度によって印刷されている。
【００８５】
これに対して図１３は、調整モードにおいて印刷がなされた領収書の一例を示す図である。
【００８６】
図１３に示す領収書では、帳票名（「領収書」）や、商品名、「お買い上げありがとうございます」といった文言などが通常よりも薄い濃度で印刷されている。また、数量や小計、支払回数、住所などが印刷されていない。
【００８７】
図１４は、帳票生成において用いられるデータである。図１４に示すように、帳票名、領域、項目から構成されるデータである。
【００８８】
例えば、「領収書」は、領域Ａ、領域Ｂ、領域Ｃの３つの領域から構成され、領域Ａはタイトル、ロゴ、発行日などの項目から構成されることを意味する。
【００８９】
また、本データテーブルには、印刷における制限情報も合わせて登録されている。制限項目とは、調整モードにおいても通常の濃度で印刷すべき旨を意味するものであり、例えば図１４の例では、領収書におけるお客様名や署名、二次元コードなどがある。
【００９０】
お客様名を薄く印刷すると、誰に対して発行した領収書であるかが分からなくなってしまったり、二次元コードを薄く印刷すると、リーダーによって読み取ることができなくなってしまうといった事態が生じる。そこで、このように調整モードにおいてどのような設定がなされていても、通常の濃度で印刷すべき旨を登録しておくことで、上述の事態を回避することが可能となる。
【００９１】
なお、これらの通常の濃度で印刷すべき旨の設定は、不図示の設定画面によりユーザが設定することが可能である。
【００９２】
このような設定を実効あらしめるために、図７の画面において領域毎に印刷濃度の設定を行う場合、制限項目（通常の濃度で印刷すべき項目）が含まれる領域については、薄く印刷する設定をできないように制御する（薄い印刷濃度をプルダウンで表示しない、または選択出来ないようにする）。
【００９３】
また、図８の画面において項目毎に印刷濃度の設定を行う場合も、同様に、制限が設定されている項目については、薄く印刷する設定をできないように制御する。
【００９４】
以上のように、本発明によれば、電池残量が低下した場合に、電力消費を抑えて印刷するモードへの切り替えが可能となるため、印刷に伴う電力消費を抑えることが可能となり、印刷途中で電池切れにより印刷が停止してしまう可能性を低減させることが可能となる。
【００９５】
また、印刷内容に対して領域毎や項目毎に印刷濃度の設定が可能となるため、通常通り印刷すべき部分については通常通り印刷し、それ以外の部分については電力消費を抑えて印刷することが可能となる。これにより、印刷に伴う電力消費を抑えつつ、例えば署名部分や２次元コード部分など、通常通りの印刷をすべき部分は通常通りの印刷が可能となる。
【００９６】
また、上述の通常通り印刷すべき部分については、濃度を抑えて印刷（薄く印刷）する設定を受け付けないように制御することで、確実に通常通りの印刷をすることが可能となる。
【００９７】
なお、上述した各種データの構成及びその内容はこれに限定されるものではなく、用途や目的に応じて、様々な構成や内容で構成されることは言うまでもない。
【００９８】
また、本発明におけるプログラムは、図３の処理をコンピュータに実行させるプログラムである。なお、本発明におけるプログラムは、図３の各処理ごとのプログラムであってもよい。
【００９９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１００】
この場合、記録媒体から読み出されたプログラム自体が本発明の新規な機能を実現することになり、そのプログラムを記録した記録媒体は本発明を構成することになる。
【０１０１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１０２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０４】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０５】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０６】
１０１  携帯端末
【図１】
2015099409.tif 000003
【図２】
2015099409.tif 000004
【図３】
2015099409.tif 000005
【図４】
2015099409.tif 000006
【図５】
2015099409.tif 000007
【図６】
2015099409.tif 000008
【図７】
2015099409.tif 000009
【図８】
2015099409.tif 000010
【図９】
2015099409.tif 000011
【図１０】
2015099409.tif 000012
【図１１】
2015099409.tif 000013
【図１２】
2015099409.tif 000014
【図１３】
2015099409.tif 000015
【図１４】
2015099409.tif 000016